(57)【要約】【課題】記録部としてハードディスク、半導体メモリを用いているビデオカメラにおいて、記録容量が一般的にＶＴＲに比べ少ないので長時間記録は困難である。【解決手段】第１の記録部４に記録された画像ファイルに、記録媒体固有のＩＤコードと、ファイル名を含んだ管理情報を付加し、記録装置８に伝送する。記録装置８では、第２の記録部１１に送られた映像ファイルを保存し、保存したファイルの管理情報をビデオカメラ１に伝送する。ビデオカメラ１において、受信した管理情報内のファイル名と同じファイル名を持つ映像データを第１の記録部から消去することで、記録媒体を有効に使用することが可能となり、長時間の記録を行なうことが出来る。【選択図】  図１
2004260681.tif 000002
【特許請求の範囲】
【請求項１】
映像を撮像する撮像素子を備える撮像部と、前記撮像部で撮影された映像信号に処理を施す信号処理部と、前記信号処理部で信号処理を施した映像信号を記録する第１の記録部と、双方向通信を行なう第１の送受信部と、前記記録部を制御する第１の制御部を備え、映像データと映像データを特定するための管理情報を外部へ送信する機能と、外部から前記管理情報の受信を行ない、受信した前記管理情報に基づき前記第１の記録部の映像データを消去することを特徴とするビデオカメラ
【請求項２】
前記第１の記録部は、半導体メモリ、ハードディスク、磁気ディスク、光ディスクから構成されることを特徴とする請求項１記載のビデオカメラ
【請求項３】
前記第１の記録部は、前記信号処理部からのデータの記録と、送受信部へのデータの読み出しと、データの消去を同時に行なうことを特徴とする請求項１記載のビデオカメラ
【請求項４】
双方向通信を行なう第２の送受信部と、前記第２の送受信部で受信した映像データを記録する第２の記録部と、前記第２の記録部を制御する第２の制御部を備え、前記第２の記録部に記録した映像に対応する前記管理情報を外部に送信することを特徴とする記録装置
【請求項５】
請求項１記載のビデオカメラと、請求項２記載の記録装置から構成されるビデオカメラシステム
【請求項６】
映像データは画像ファイルであることを特徴とする請求項５記載のビデオカメラシステム
【請求項７】
前記管理情報は、少なくとも第１の記録部を特定することが可能な情報と画像ファイルを特定することが可能な情報を含むことを特徴とする請求項５記載のビデオカメラシステム
【請求項８】
前記管理情報は、少なくとも第１の記録部を特定することが可能な情報と、画像ファイルを特定することが可能な情報と、画像ファイル内のフレームを特定することができる情報を含むことを特徴とする請求項５記載のビデオカメラシステム
【請求項９】
画像圧縮部を備え、画像圧縮を行なった映像データを外部に送信することを特徴とする前記請求項１記載のビデオカメラ
【請求項１０】
画像表示装置用の端子を備え、前記第２の記録部の映像を出力することを特徴とする前記請求項２記載の記録装置
【請求項１１】
入力装置用の端子を備え、前記入力装置により前記管理情報を操作することを特徴とする前記請求項２記載の記録装置
【請求項１２】
請求項９記載のビデオカメラと、請求項１０記載及び、請求項１１記載の記録装置から構成されるビデオカメラシステム
【発明の詳細な説明】
【０００１】
【発明の属する技術分野】
本発明は、記録部として半導体メモリやハードディスクのようなランダムアクセス可能な媒体を用いたビデオカメラに関するものである。
【０００２】
【従来の技術】
従来のビデオカメラでは、撮影した映像を記録する記録部としてＶＴＲを用いていたが、ビデオカメラの小型軽量化、省電力化を実現するため、近年、ハードディスクや、半導体メモリを記録部に用いたビデオカメラが考案されている。
【０００３】
以下に従来のビデオカメラについて説明する。
【０００４】
従来、ビデオカメラは特開平７−２５５０２８号公報に記載されたものが知られている。そのビデオカメラを図１４に示す。図１４はビデオカメラ装置のブロック構成図である。図１４において、３１は光学レンズ、３２は絞り、３３はＣＣＤ等からなる撮像素子、３４は撮像素子から出力された映像信号を増幅・調整処理するプロセスアンプ、３５はプロセスアンプ３４から出力された映像信号をデジタル信号に変換するＡ／Ｄコンバータ、３６はＡ／Ｄコンバータ２５から出力されたデジタルの映像信号をデータ圧縮するデータ圧縮処理回路、３７はマイクであり、３８はアンプ、３９はＡ／Ｄコンバータ、４０はデータ圧縮処理回路、４１はハードディスク、又はフラッシュメモリ等の大容量の半導体メモリである。
【０００５】
以上のように構成された従来のビデオカメラについて、以下その動作について説明する。まず、光学レンズを通して入射した映像光が撮像素子で電気信号に変換され、撮像素子から出力された映像信号はプロセスアンプに送られ、増幅・調整処理される。そして、プロセスアンプから出力された映像信号はＡ／Ｄコンバータに送られてデジタル信号に変換され、次に、そのデジタル映像信号は、データ圧縮処理回路に送られ、所定の方式によりデータ圧縮処理がなされる。そして、データ圧縮された映像データがハードディスク又半導体メモリに送られ、記録される。
【０００６】
【特許文献１】
特開平７−２５５０２８号公報（段落番号［０００９］）
【０００７】
【発明が解決しようとする課題】
しかしながら前記従来の構成では、記録部としてハードディスク、又は半導体メモリを用いているので、一般的にＶＴＲに比べ記録容量が少ない。また、ＶＴＲのように記録媒体を取り外して使用する場合には、ハードディスクは耐震性に、半導体メモリは静電気に対して弱く、映像データを長期間保存するには向いていない。
【０００８】
本発明は、前記従来の問題点を解決するもので、記録部の記録容量の制限にとらわれずに長時間記録を行なうことが可能な、又、記録部を有効に利用するビデオカメラシステムを提供することを目的とする。
【０００９】
【課題を解決するための手段】
この目的を達成するために本発明のビデオカメラシステムは、映像を撮像する撮像素子を備える撮像部と、前記撮像部で撮影された映像信号に処理を施す信号処理部と、前記信号処理部で信号処理を施した映像信号を記録する第１の記録部と、双方向通信を行なう第１の送受信部と、前記第１の記録部を制御する第１の制御部からなるビデオカメラと、双方向通信を行なう第２の送受信部と、送受信部で受信した映像データを記録する第２の記録部と、前記第２の記録部を制御する第２の制御部を備える記録装置を有している。この構成によって第１の記録部の記録容量の制限にとらわれずに長時間記録を行なうことが可能となり、又、必要なデータのみを保存することが出来るため、記録容量を有効に利用するビデオカメラシステムが得られる。
【００１０】
【発明の実施の形態】
以下、本発明の実施の形態について、総括的、概念的に説明する。
【００１１】
（実施の形態１）
図１は、本発明のビデオカメラシステムの構成図であり、図１において、１はビデオカメラ、８は記録装置である。ビデオカメラ１において、２は撮像素子から構成される撮像部であり、３は撮像部から出力される映像データに信号処理を行なう信号処理部であり、４は第１の記録部で、半導体メモリ、ハードディスク等のランダムアクセス可能な媒体から構成されており、５は前記第１の記録部を制御する第１の制御部であり、６は外部とのデータの送受信を行なう第１の送受信部であり、７はアンテナである。又、記録装置８において、９はアンテナ、１０は外部とのデータの送受信を行なう第２の送受信部であり、１１は第２の記録部で、サーバ等の大容量の記録媒体であり、１２は第２の記録部を制御する第２の制御部である。
【００１２】
以上のように構成されたビデオカメラシステムにおいて、図１から図５を用いてその動作を説明する。まず、撮像部２において光信号が撮像素子により電気信号に変換され、その後、信号処理部３に入力される。信号処理部ではガンマ処理や、ニー処理等のカメラ信号処理が施される。また、この信号処理部で画像圧縮処理を行なっても良い。
【００１３】
第１の記録部４は、クラスタ単位やブロック単位でアクセスを行なう媒体から構成されており、ファイルシステムにより管理される。図２に第１の記録部４に保存されたファイルデータの表す図を示す。記録部４には、画像ファイルの他に、ＩＤコード１３が保存されている。このＩＤコードは、シリアル番号のように記録部の記録媒体に固有のものであり、記録媒体を特定することが可能となる。
【００１４】
図３に第１の記録部の動作説明図を示す。図４に管理情報の一例を示す。第１の記録部４では、信号処理部から出力された映像データの書き込みを行なうと同時に、画像ファイルを読み出し、各画像ファイルに前記ＩＤコードとファイル名を管理情報として付け加え、画像データと共に第１の送受信部に送る。ここでは、ファイル１に対してＡ、ファイル２に対してＢ、ファイル３に対してＣとファイル名を付けている。ここで、管理情報のファイル形式は、予め決められている。
【００１５】
又、図５に示すように、ビデオカメラ１と記録装置８は無線及び、インターネット網により接続されており、両機器にはインターネットプロトコルアドレス（以下ＩＰアドレス）が割り当てられている。第１の送受信部は、画像ファイルと管理情報をＴＣＰ／ＩＰに準ずる信号に変換し、更に無線ＬＡＮの規格であるＩＥＥＥ８０２．１１ｂに変換し、アンテナ７を介して記録装置のＩＰアドレスにデータを送信する。
【００１６】
記録装置８は、インターネット網からアンテナ９及び、第２の送受信部１０にてデータの受信とデコードを行ない、サーバ等から構成される第２の記録部１１に画像ファイル、前記管理情報を記録する。
【００１７】
図６に第２の記録部の動作説明図を示す。第２の制御部は、第２の記録部に記録した画像ファイルの管理情報を順次読み出し、送受信部１０に送り再びインターネット網を介してビデオカメラのＩＰアドレスに送信する。
【００１８】
ビデオカメラ１では、記録装置８から送信された前記管理情報をアンテナ７及び、第１の送受信部６により受信しデコードを行なう。更に、第１の制御部５は送受信部から管理情報を受け取り、ＩＤコードが第１の記録部のＩＤコードと一致しているかを確認し、一致していた場合には、受信した管理情報の含まれるファイル名と同じファイル名を持つファイルを第１の記録部から消去する。
【００１９】
以上の一連の動作が、ビデオカメラの電源が投入している間、自動的に実行される。
【００２０】
以上のように、本実施の形態によれば、第１の記録部に記録された画像ファイルは、ビデオカメラ外部に存在する第２の記録媒体に自動的に保存され、保存されたデータはビデオカメラ内の第１の記録部から消去されるため、予備の記録媒体を必要とせずに、長時間撮影を行なうことが可能となる。
【００２１】
なお、本実施の形態では、管理情報としてファイル名を使用したが、ファイルを格納している論理先頭アドレス等、ファイルを特定可能な情報であれば如何なる情報でも良い。
【００２２】
なお、本実施の形態では、ビデオカメラと記録装置間の通信プロトコルはＩＥＥＥ８０２．１１ｂとＴＣＰ／ＩＰにより通信を行なったが、如何なるプロトコルでも良い。また、無線に限らず有線による通信でも良い。また、インターネット網を介さず、機器間で直接伝送を行なっても良い。
【００２３】
なお、本実施の形態では、各々のファイルの容量は任意であり、例えばファイルの単位を映像フレーム毎にしても良い。
【００２４】
（実施の形態２）
図７は、本発明のビデオカメラシステムの構成図であり、図７において、１はビデオカメラ、８は記録装置である。ビデオカメラ１において、２は撮像素子から構成される撮像部であり、３は撮像部から出力される映像データに信号処理を行なう信号処理部であり、４は第１の記録部で、半導体メモリ、ハードディスク等のランダムアクセス可能な媒体から構成されており、５は前記第１の記録部を制御する第１の制御部であり、６は外部とのデータの送受信を行なう第１の送受信部であり、７はアンテナである。又、記録装置８において、９はアンテナ、１０は外部とのデータの送受信を行なう第２の送受信部であり、１１は第２の記録部で、サーバ等の大容量の記録媒体であり、１２は第２の記録部を制御する第２の制御部で、以上は図１の構成と同様なものである。図１の構成と異なるのは、ビデオカメラ１に画像圧縮部１４を備え、記録部８に表示装置用端子１５と、入力装置用端子１６を備えていることである。
【００２５】
以上のように構成されたデジタルビデオカメラにおいて、以下その動作を説明する。まず、撮影された映像は、実施の形態１と同様に、第１の記録部４にファイル単位で保存される。
【００２６】
図８は、本実施の形態におけるビデオカメラと記録装置とのデータの流れを示した図であり、１９はビデオカメラから記録装置に送られるデータ、２０は記録装置からビデオカメラに送られるデータある。
【００２７】
第１の記録部４では、図３に示す第１の実施例と同様に、信号処理部から出力された映像データの書き込みを行なうと同時に、画像ファイルを読み出し、各画像ファイルに管理情報としてＩＤコードとファイル名を付け加える。なお、管理情報のファイル形式は予め決められている。その後、画像ファイルは、画像圧縮部１４により圧縮されデータ量の少ない、低解像度の画像ファイルに変換され、その後、図８に示すように、圧縮された低解像度の画像ファイルと管理情報が、ビデオカメラ１から記録装置８へ送信される。なお、管理情報とファイルの関係は、画像圧縮部入力時と出力時で変化しない。
【００２８】
記録装置８では、アンテナ９及び、第２の送受信部１０にて受信し、サーバ等から構成される第２の記録部１１に画像ファイル、管理情報を記録する。記録装置８には、表示装置用端子１５に画像表示装置１７が接続され、入力装置用端子１６に入力装置１８が接続されている。ここで、第２の記録部１１と、第２の制御部１２と、画像表示装置１７と、入力装置１８により、映像の編集を行なうことができる。つまり、第２の記録部に保存された低解像度の映像を表示装置に表示し、編集作業者は、それをモニターしながら不要なファイルの消去を入力装置１８を用いて行なう。例えば、図９に示すように、ビデオカメラから送信された画像ファイルの中で、ファイル２（ファイル名Ｂ）の消去（カット）を行なう場合には、編集作業者が入力装置１８によりファイル２の消去命令を入力し、入力装置に接続されている第２の制御回路が、ファイル２の管理情報に消去命令を示す情報を加える。
【００２９】
編集作業者が編集を終えると、終了命令を入力装置により入力する。すると、第２の制御回路１２は、実施の形態１と同様に、第２の記録部１１から編集情報を含んだ管理情報を読み出し、図８の２０に示すようにビデオカメラ１へインターネット網を介して送信する。
【００３０】
ビデオカメラ１は、アンテナ７及び、第１の送受信部６により受信し、更に、第１の制御部５は送受信部から受信した編集情報を含んだ管理情報を受け取り、消去情報を含んだ画像ファイルを第１の記録部から消去する。ここでは、第１の記録部４からファイル２（ファイル名：Ｂ）の映像データを消去する。
【００３１】
以上より、本実施の形態によれば、後の編集により消去（カット）される不要な画像ファイルを第１の記録部に保存する必要がなくなるため、長時間映像を記録することが可能となる。また、低解像度の映像データを伝送するため、ビデオカメラと記録装置間の通信網の伝送速度が、実施の形態１と比べ低速の場合でも使用できる。
【００３２】
なお、本実施の形態では、ビデオカメラと記録装置間の通信は無線ＬＡＮとインターネット網により通信を行なったが、無線の換わりに有線による通信でも良い。また、インターネット網を介さず、通信を行なっても良い。
【００３３】
また、本実施の形態では、各々のファイルの容量は任意であり、例えばファイルの単位を映像フレーム毎にしても良い。
【００３４】
また、表示装置１７と入力装置１８の換わりに編集ソフトを搭載したパソコンでも良い。又、表示装置１７と入力装置１８を記録装置８に含んでも良い。
【００３５】
また、画像圧縮回路１４の換わりに、映像データ量を減少させる目的であるフォーマット変換回路でも良い。
【００３６】
（実施の形態３）
図７は、本発明のビデオカメラシステムの構成図であり、構成は実施の形態２と同様である。以上のように構成されたデジタルビデオカメラにおいて、以下その動作を説明する。
【００３７】
図１０は、第１の記録部４に保存されたファイルデータの表す図を示す。撮影された映像は、第１の記録部４にファイル単位で保存される。ファイルは複数のフレーム映像を含んでおり、第１の制御部５は、映像データをファイルに変換する際に、ファイルのフレーム情報を画像ファイルとは別途にフレーム構成情報として各ファイル毎に作成し保存する。図１１にフレーム構成情報の一例を示す。ここで、画像ファイルの各フレーム映像の開始点と終了点をフレーム構成ファイルに記載する。ここで、ファイル１、ファイル２、ファイル３共に２枚のフレームから構成されており、ファイル１内において、フレーム１の開始点がａ、終了点がｂ、フレーム２の開始点がｃ、終了点がｄ、ファイル２、ファイル３も同様に開始点、終了点が記載されている。つまり、制御部５は、フレーム構成情報を参照することで、フレーム内のフレームを特定することが可能となる。ここで、フレーム構成情報のファイル形式は予め決められている。
【００３８】
第１の記録部４では、信号処理部から出力された映像データの書き込み、フレーム構成情報の作成を行なうと同時に、画像ファイルを読み出し、各画像ファイルに管理情報としてフレーム構成情報、ＩＤコードとファイル名を付け加る。ここで、管理情報のファイル形式は予め決められている。その後、画像圧縮部１４により低解像度の映像データに変換される。なお、管理情報とファイルの関係は、画像圧縮部入力時と出力時で変化しない。その後、図１２の２１に示すように、圧縮された低解像度の画像ファイルと管理情報は、実施の形態１と同様に、記録装置８へ送信される。
【００３９】
次に、第２の実施例と同様に、記録装置８において、アンテナ９及び、第２の送受信部１０にて受信し、サーバ等から構成される第２の記録部１１に画像ファイル、管理情報を記録する。
【００４０】
編集作業者は、第２の記録部に保存された低解像度の映像データを表示装置に表示し、それをモニターしながら入力装置１８を用いて不要なフレームの消去を行なう。図１３に第２の記録媒体に保存されたファイルの一例を示す。ここで、ファイル１内のフレーム１の消去（カット）を行なう場合には、編集作業者が入力装置１８によりファイル１内のフレーム１のカット命令を入力し、入力装置に接続されている第２の制御回路が、ファイル１の管理情報のおける、フレーム１の終了点ｂを開始点と同値ａに変更する。
【００４１】
編集作業者が編集を終えると、終了命令を入力装置により入力する。すると、第２の制御回路１２は、実施の形態２と同様に、第２の記録部１１から編集情報を含んだ管理情報を読み出し、ビデオカメラ１へインターネット網を介して送信する。
【００４２】
ビデオカメラ１は、アンテナ７及び、第１の送受信部６により受信し、更に、第１の制御部５は送受信部から受信した編集情報を含んだ管理情報を受け取り、開始点と終了点が同値のフレームをファイル内から消去し、ファイルを作成し直すことで、ファイルの容量を小さくする。
【００４３】
以上より、本実施の形態によれば、後の編集により消去（カット）される不要な映像データを第１の記録部に保存する必要がなくなるため、長時間映像を記録することが可能となる。また、低解像度の映像データを伝送するため、ビデオカメラと記録装置間の通信網の伝送速度が、実施の形態１と比べ低速の場合でも使用できる。
【００４４】
なお、本実施の形態では、ビデオカメラと記録装置間の通信は無線ＬＡＮとインターネット網により通信を行なったが、無線の換わりに有線による通信でも良い。また、インターネット網を介さず、通信を行なっても良い。
【００４５】
また、表示装置１７と入力装置１８の換わりに編集ソフトを搭載したパソコンでも良い。又、表示装置１７と入力装置１８を記録装置８に含んでも良い。
【００４６】
また、画像圧縮回路１４の換わりに、映像データ量を減少させる目的であるフォーマット変換回路でも良い。
【００４７】
【発明の効果】
以上のように本発明は、記録部の記録容量の制限にとらわれずに長時間記録を行なうことができる、又、必要なデータのみを保存することが出来るため、記録容量を有効に利用することができるという優れた効果が得られる。
【図面の簡単な説明】
【図１】ビデオカメラシステムの構成図
【図２】第１の記録部４に保存されたデータを表す図
【図３】第１の記録部４の動作説明図
【図４】管理情報の一例を示す図
【図５】ビデオカメラと記録装置の伝送形態を表す図
【図６】第２の記録部１１の動作説明図
【図７】ビデオカメラシステムの構成図
【図８】ビデオカメラと記録装置間のデータの流れを示した図
【図９】編集情報を含む管理情報の一例を示す図
【図１０】第１の記録部４に保存されたデータを表す図
【図１１】ファイル構成情報の一例を示す図
【図１２】ビデオカメラと記録装置間のデータの流れを示した図
【図１３】編集情報を含む管理情報の一例を示す図
【図１４】従来例における構成図
【符号の説明】
１  ビデオカメラ
２  撮像素子
３  信号処理部
４  第１の記録部
５  第１の制御部
６  第１の送受信部
７  アンテナ
８  記録装置
９  アンテナ
１０  第２の送受信部
１１  第２の記録部
１２  第２の制御部
１４  画像圧縮部
１５  表示装置用端子
１６  入力装置用端子
【図１】
2004260681.tif 000003
【図２】
2004260681.tif 000004
【図３】
2004260681.tif 000005
【図４】
2004260681.tif 000006
【図５】
2004260681.tif 000007
【図６】
2004260681.tif 000008
【図７】
2004260681.tif 000009
【図８】
2004260681.tif 000010
【図９】
2004260681.tif 000011
【図１０】
2004260681.tif 000012
【図１１】
2004260681.tif 000013
【図１２】
2004260681.tif 000014
【図１３】
2004260681.tif 000015
【図１４】
2004260681.tif 000016
【手続補正書】
【提出日】平成15年3月12日(2003.3.12)
【手続補正１】
【補正対象書類名】明細書
【補正対象項目名】００１２
【補正方法】変更
【補正の内容】
【００１２】
以上のように構成されたビデオカメラシステムにおいて、図１から図６を用いてその動作を説明する。まず、撮像部２において光信号が撮像素子により電気信号に変換され、その後、信号処理部３に入力される。信号処理部ではガンマ処理や、ニー処理等のカメラ信号処理が施される。また、この信号処理部で画像圧縮処理を行なっても良い。


【手続補正２】
【補正対象書類名】明細書
【補正対象項目名】００２６
【補正方法】変更
【補正の内容】
【００２６】
図８は、本実施の形態におけるビデオカメラと記録装置とのデータの流れを示した図であり、１９はビデオカメラから記録装置に送られるデータ、２０は記録装置からビデオカメラに送られるデータである。
【手続補正３】
【補正対象書類名】明細書
【補正対象項目名】００３６
【補正方法】変更
【補正の内容】
【００３６】
（実施の形態３）
図７は、本発明のビデオカメラシステムの構成図であり、構成は実施の形態２と同様である。以上のように構成されたビデオカメラにおいて、以下その動作を説明する。


【手続補正４】
【補正対象書類名】明細書
【補正対象項目名】００３７
【補正方法】変更
【補正の内容】
【００３７】
図１０は、第１の記録部４に保存されたファイルデータを表す図を示す。撮影された映像は、第１の記録部４にファイル単位で保存される。ファイルは複数のフレーム映像を含んでおり、第１の制御部５は、映像データをファイルに変換する際に、ファイルのフレーム情報を画像ファイルとは別途にフレーム構成情報として各ファイル毎に作成し保存する。図１１にフレーム構成情報の一例を示す。ここで、画像ファイルにおける各フレーム映像の開始点と終了点をフレーム構成ファイルに記載する。ここで、ファイル１、ファイル２、ファイル３共に２枚のフレームから構成されており、ファイル１内において、フレーム１の開始点がａ、終了点がｂ、フレーム２の開始点がｃ、終了点がｄ、ファイル２、ファイル３も同様に開始点、終了点が記載されている。つまり、制御部５は、フレーム構成情報を参照することで、フレーム内のフレームを特定することが可能となる。ここで、フレーム構成情報のファイル形式は予め決められている。